【事件の表示】
　特願２００３−　４４３５１「電子装置、電気光学装置及び電子機器」拒絶査定不服審判事件〔平成１６年　９月　９日出願公開、特開２００４−２５４１９０〕について、次のとおり審決する。
【結　論】
　本件審判の請求は、成り立たない。
【理　由】
第１．手続の経緯
　本願は、平成１５年２月２１日の出願であって、平成１８年２月２日付けで拒絶査定がなされ、これに対し、平成１８年３月６日に拒絶査定に対する審判請求がなされるとともに同年４月４日付けで審判請求時の手続補正がなされ、平成１９年１２月１１日付けで当審よりなされた審尋に対して、平成２０年２月１３日付けで回答書の提出があったものである。
　
第２．補正却下の決定
［補正却下の決定の結論］
　　平成１８年４月４日付けの手続補正を却下する。
　
［理由］
（１）本件補正
　平成１８年４月４日付け手続補正（以下、「本件補正」という。）は、平成１７年８月１日付け手続補正により補正された明細書の特許請求の範囲について、次のように補正しようとするものである。
　
（補正前）
　「【請求項１】　複数の単位回路を備えた電子装置において、
　前記複数の単位回路の各々は、
　第１の制御用端子を備えた、ダイオード接続された第１のトランジスタと、
　前記第１の制御用端子の電圧レベルを基準値とした電流を出力する複数の第２のトランジスタと、
　各々が第３の制御用端子を備え、前記第３の制御用端子に入力されるオン・オフ信号に応じて前記複数の第２のトランジスタの各々から出力される電流を制御する第３のトランジスタと、
　第４の制御用端子を備え、前記第１の制御用端子の電圧レベルを基準値とした電流を出力する第４のトランジスタと、
　第５の制御用端子を備え、前記第１のトランジスタと直列に接続された第５のトランジスタと、
　第６の制御用端子を備え、前記第５の制御用端子が前記第６の制御用端子に接続された、ダイオード接続された第６のトランジスタと、を含み、
　前記複数の単位回路の各々は、前記第３の制御用端子に入力されるオン・オフ信号に基づいて前記複数の第２のトランジスタの各々から出力される電流を選択して加算した電流を一つの出力端子から出力し、１の単位回路に含まれる前記第４のトランジスタは、他の単位回路に含まれる前記第６のトランジスタに接続されていることを特徴とする電子装置。
　　【請求項２】　請求項１に記載の電子装置において、
　前記複数の単位回路の各々の前記第４のトランジスタの利得係数は、前記第１のトランジスタの利得係数と同じであることを特徴とする電子装置。
　　【請求項３】　請求項１または２に記載の電子装置において、
　複数の前記単位回路は、カスケード接続されていることを特徴とする電子装置。
　　【請求項４】　複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、
　前記各データ電流供給回路は、
　第１の制御用端子を備えた、ダイオード接続された第１のトランジスタと、
　前記第１の制御用端子の電圧レベルを基準値とした電流を出力する複数の第２のトランジスタと、
　各々が第３の制御用端子を備え、前記第３の制御用端子に入力される画像データに応じて前記複数の第２のトランジスタの各々から出力される電流を制御する第３のトランジスタと、
　第４の制御用端子を備え、前記第１の制御用端子の電圧レベルを基準値とした電流を出力する第４のトランジスタと、を含み、
　前記各データ電流供給回路は、前記第３の制御用端子に入力される前記画像データに基づいて前記複数の第２のトランジスタの各々から出力される電流を選択して加算した電流を一つの出力端子から出力し、１のデータ電流供給回路に含まれる前記第４のトランジスタから出力される電流は、前記画像データによりオン状態とされた前記第３のトランジスタと直列に接続された第２のトランジスタからなる電流経路には供給されず、他のデータ電流供給回路に供給されることを特徴とする電気光学装置。
　　【請求項５】　複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、
　前記各データ電流供給回路は、第１の制御用端子を備えた、ダイオード接続された第１のトランジスタと、
　前記第１の制御用端子の電圧レベルを基準値とした電流を出力する複数の第２のトランジスタと、
　各々が第３の制御用端子を備え、前記第３の制御用端子に入力される画像データに応じて前記複数の第２のトランジスタの各々から出力される電流を制御する第３のトランジスタと、
　第４の制御用端子を備え、前記第１の制御用端子の電圧レベルを基準値とした電流を出力する第４のトランジスタと、を含み、
　前記各データ電流供給回路は、前記第３の制御用端子に入力される画像データに基づいて前記複数の第２のトランジスタの各々から出力される電流を選択して加算した電流を一つの出力端子から出力し、１のデータ電流供給回路に含まれる前記第４のトランジスタから出力される電流は、他のデータ電流供給回路の第１の制御用端子の電圧レベルを設定する基準電流となることを特徴とする電気光学装置。
　　【請求項６】　請求項４または５に記載の電気光学装置において、
　前記複数のデータ電流供給回路の各々の前記第４のトランジスタの利得係数は、前記第１のトランジスタの利得係数と同じであることを特徴とする電気光学装置。
　　【請求項７】　請求項４乃至６のいずれか１つに記載の電気光学装置において、
　複数の前記データ電流供給回路は、カスケード接続されていることを特徴とする電気光学装置。
　　【請求項８】　請求項４乃至７のいずれか１つに記載の電気光学装置において、
　前記各データ電流供給回路は、第５の制御用端子を備え、前記第１のトランジスタと直列に接続された第５のトランジスタと、
　第６の制御用端子を備え、前記第５の制御用端子が前記第６の制御用端子に接続された、ダイオード接続された第６のトランジスタとが設けられていることを特徴とする電気光学装置。
　　【請求項９】　複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、
　前記データ電流供給回路は、第１の制御用端子を備えた、ダイオード接続された第１のトランジスタと、
　前記第１の制御用端子の電圧レベルを基準値とした電流を出力する複数の第２のトランジスタと、
　各々が第３の制御用端子を備え、前記第３の制御用端子に入力されるオン・オフ信号に応じて前記複数の第２のトランジスタの各々から出力される電流を制御する第３のトランジスタと、
　第４の制御用端子を備え、前記第１の制御用端子の電圧レベルを基準値とした電流を出力する第４のトランジスタと、
　第５の制御用端子を備え、前記第１のトランジスタと直列に接続された第５のトランジスタと、
　第６の制御用端子を備え、前記第５の制御用端子が前記第６の制御用端子に接続された、ダイオード接続された第６のトランジスタと、を含み、
　前記各データ電流供給回路は、前記第３の制御用端子に入力されるオン・オフ信号に基づいて前記複数の第２のトランジスタの各々から出力される電流を選択して加算した電流を一つの出力端子から出力し、１のデータ電流供給回路に含まれる前記第４のトランジスタは、前記オン・オフ信号によりオン状態とされた前記第３のトランジスタと直列に接続された第２のトランジスタには接続されず、他のデータ電流供給回路に含まれる前記第６のトランジスタに接続されていることを特徴とする電気光学装置。
　　【請求項１０】　請求項９に記載の電気光学装置において、
　前記複数のデータ電流供給回路の各々の前記第４のトランジスタの利得係数は、前記第１のトランジスタの利得係数と同じであることを特徴とする電気光学装置。
　　【請求項１１】　請求項９または１０に記載の電気光学装置において、
　複数の前記データ電流供給回路は、カスケード接続されていることを特徴とする電気光学装置。
　　【請求項１２】　請求項１１に記載の電気光学装置において、
　前記第６のトランジスタの利得係数は、前記第１のトランジスタの利得係数と同じであることを特徴とする電気光学装置。
　　【請求項１３】　請求項４乃至１２のいずれか１つに記載の電気光学装置において、　前記電気光学素子は、ＥＬ素子であることを特徴とする電気光学装置。
　　【請求項１４】　請求項１３に記載の電気光学装置において、
　前記ＥＬ素子は、発光層が有機材料で構成されていることを特徴とする電気光学装置。
　　【請求項１５】　請求項４乃至１４のいずれか１つに記載の電気光学装置を実装したことを特徴とする電子機器。」
　
（補正後）
　「【請求項１】　複数のドライバを備えた電子装置において、
　前記複数のドライバは、基準電流を生成するマスタードライバと前記基準電流に応じて駆動するスレーブドライバとを含み、
　前記複数のドライバの各々は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力されるオン・オフ信号に応じて前記複数の第２のトランジスタの各々から出力される電流を制御する第３のトランジスタと、第４の制御用端子を備え、前記第１の制御用端子の電圧レベルを基準値とした前記基準電流を出力する第４のトランジスタと、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタと、を含み、
　前記複数のドライバ各々の回路構成は全て同じであり、前記マスタードライバの前記第４のトランジスタを介して出力される前記基準電流は、前記スレーブドライバに含まれる前記第６のトランジスタに供給され、
　前記スレーブドライバは、供給された前記基準電流に基づき、第１の制御用端子の電圧レベルを設定する
　ことを特徴とする電子装置。
　　【請求項２】　請求項１に記載の電子装置において、
　前記複数のドライバの各々の前記第４のトランジスタの利得係数は、前記第１のトランジスタの利得係数と同じであることを特徴とする電子装置。
　　【請求項３】　請求項１または２に記載の電子装置において、
　複数の前記ドライバは、カスケード接続されていることを特徴とする電子装置。
　　【請求項４】　複数の走査線と、複数のデータ線と、これら各前記走査線と各前記データ線との交差部に対応してそれぞれ配設された電気光学素子と、前記電気光学素子を駆動する駆動トランジスタとを備えるとともに、各前記データ線にデータ電流を供給する複数のデータ電流供給回路を備え、各前記電気光学素子に前記データ電流に応じた駆動電流を供給するアクティブマトリクス駆動方式の電気光学装置において、
　前記各データ電流供給回路は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力される画像データに応じて前記複数の第２のトランジスタの各々から出力される電流を制御する第３のトランジスタと、第４の制御用端子を備え、前記第１の制御用端子の電圧レベルを基準値とした基準電流を出力する第４のトランジスタと、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタと、を含み、
　前記複数のデータ電流供給回路各々の回路構成は全て同じであり、１のデータ電流供給回路に含まれる前記第４のトランジスタから出力される前記基準電流は、他のデータ電流供給回路に供給され、
　他のデータ電流供給回路は、供給された前記基準電流に基づき、第１の制御用端子の電圧レベルを設定するとともに、前記基準電流に基づく電流を加算することにより、前記データ電流を出力する
　ことを特徴とする電気光学装置。
　　【請求項５】　請求項４に記載の電気光学装置において、
　前記複数のデータ電流供給回路の各々の前記第４のトランジスタの利得係数は、前記第１のトランジスタの利得係数と同じであることを特徴とする電気光学装置。
　　【請求項６】　請求項４または５に記載の電気光学装置において、
　複数の前記データ電流供給回路は、カスケード接続されていることを特徴とする電気光学装置。
　　【請求項７】　請求項４に記載の電気光学装置において、
　前記第６のトランジスタの利得係数は、前記第１のトランジスタの利得係数と同じであることを特徴とする電気光学装置。
　　【請求項８】　請求項４乃至７のいずれか１つに記載の電気光学装置において、
　前記電気光学素子は、有機ＥＬ素子であることを特徴とする電気光学装置。
　　【請求項９】　請求項４乃至８のいずれか１つに記載の電気光学装置を実装したことを特徴とする電子機器。」
　
　本件補正により請求項の数が１５から９に減少することとなったが、補正後の請求項１ないし９は補正前の請求項と異なるものであるから、本件補正が、単に、特許法１７条の２第４項第１号の請求項の削除を目的とするものでないことは明らかである。
　そこで、本件補正が、同第２号の特許請求の範囲の減縮を目的とするものに該当するかについて検討する。補正前の請求項１に記載される「複数の単位回路の各々」、及び補正前の請求項４、５、９に記載される「前記各データ電流供給回路」は、「前記複数の第２のトランジスタの各々から出力される電流を選択して加算した電流を一つの出力端子から出力」するものであり、補正前の請求項２、３は直接請求項１を、補正前の請求項６−８は直接ないし間接に請求項４、５を、補正前の請求項１０−１２は直接ないし間接に請求項９を、補正前の請求項１３−１５は直接ないし間接に請求項４、５、９を、それぞれ引用するものであるから、補正前の請求項に係る発明は、全て、「前記複数の第２のトランジスタの各々から出力される電流を選択して加算した電流を一つの出力端子から出力」する「複数の単位回路の各々」または「前記各データ電流供給回路」を有するものである。
　しかし、補正後の請求項１に記載される「前記複数のドライバ」（補正前の「複数の単位回路の各々」を限定したものと認められる構成）にはこの限定がないから、請求項１についての補正が特許請求の範囲の減縮に当たらないことは明らかである。また、補正後の請求項２ないし９についても同様である。したがって、本件補正は同第２号の特許請求の範囲の減縮を目的とするものではない。
　また、本件補正が同第３号の明りょうでない記載の釈明を目的とするものであるとも、同第４号の誤記の訂正を目的とするものであるとも認められない。
　
（２）むすび
　以上のとおりであるから、本件補正は、特許法第１７条の２第４項の規定に違反するものであり、特許法第１５９条第１項で読み替えて準用する同法第５３条第１項の規定により却下すべきものである。
　
第３．本願発明について
１．本願発明
　平成１８年４月４日付けの手続補正は上記のとおり却下されたので、本願請求項１に係る発明（以下、「本願発明」という。）は、平成１７年８月１日付けで補正された明細書の記載からみて、その特許請求の範囲の請求項１に記載された次のとおりのものである。
　
　「複数の単位回路を備えた電子装置において、
　前記複数の単位回路の各々は、
　第１の制御用端子を備えた、ダイオード接続された第１のトランジスタと、
　前記第１の制御用端子の電圧レベルを基準値とした電流を出力する複数の第２のトランジスタと、
　各々が第３の制御用端子を備え、前記第３の制御用端子に入力されるオン・オフ信号に応じて前記複数の第２のトランジスタの各々から出力される電流を制御する第３のトランジスタと、
　第４の制御用端子を備え、前記第１の制御用端子の電圧レベルを基準値とした電流を出力する第４のトランジスタと、
　第５の制御用端子を備え、前記第１のトランジスタと直列に接続された第５のトランジスタと、
　第６の制御用端子を備え、前記第５の制御用端子が前記第６の制御用端子に接続された、ダイオード接続された第６のトランジスタと、を含み、
　前記複数の単位回路の各々は、前記第３の制御用端子に入力されるオン・オフ信号に基づいて前記複数の第２のトランジスタの各々から出力される電流を選択して加算した電流を一つの出力端子から出力し、１の単位回路に含まれる前記第４のトランジスタは、他の単位回路に含まれる前記第６のトランジスタに接続されていることを特徴とする電子装置。」
　
２．引用発明
　原審の拒絶理由に引用された特開２００１−４２８２７号公報（以下、「引用例」という。）には、図面とともに以下の事項が記載されている。
　
　イ．「【０００１】
【発明が属する技術分野】本発明は、有機エレクトロルミネセンス素子等の自発光素子からなるディスプレイパネルを用いたディスプレイ装置、及びその駆動回路に関する。」（３頁３欄６〜１０行）
　ロ．「【００２１】制御電流出力回路ＣＯにおけるトランジスタＱoのエミッタには抵抗Ｒoを介して画素駆動電位ＶBEが印加されており、そのベースには上記基準電流制御回路ＲＣにおけるトランジスタＱbのベースが接続されている。この際、上記抵抗Ｒoの抵抗値は、基準電流制御回路ＲＣにおける抵抗Ｒrと同一であり、更に、トランジスタＱoは、基準電流制御回路ＲＣにおけるトランジスタＱa及びＱb各々と同一特性を有するものである。よって、制御電流出力回路ＣＯにおけるトランジスタＱoと、上記基準電流制御回路ＲＣとは電流ミラー回路を形成することになり、上記トランジスタＱoのエミッタ・コレクタ間には、上記基準電流ＩREFと同一電流量の電流が流れる。制御電流出力回路ＣＯは、かかる電流を制御電流ｉcとし、これを出力端Ｉoutを介して第２陽極線ドライブ回路２２の入力端Ｉinに供給する。つまり、第１陽極線ドライブ回路２１がＥＬＤＰ１０’の陽極線Ａ1〜Ａmの各々に供給する発光駆動電流ｉと同一の電流が、制御電流ｉcとして第２陽極線ドライブ回路２２に供給されるのである。」（５頁７欄４４行〜８欄１２行）
　ハ．「【００２２】第２陽極線ドライブ回路２２は、駆動電流制御回路ＣＣ、スイッチブロックＳＢ、並びに、ｍ個の電流駆動源としてのトランジスタＱ1〜Ｑm及び抵抗Ｒ1〜Ｒmから構成される。駆動電流制御回路ＣＣにおけるトランジスタＱcのコレクタ及びベースは、上記入力端Ｉinに接続されており、そのエミッタは抵抗ＲQ1を介してアース電位に接地されている。よって、上記第１陽極線ドライブ回路２１から出力された制御電流ｉcは、その入力端Ｉinを介してトランジスタＱcのコレクタ・エミッタ間に流れる。又、駆動電流制御回路ＣＣにおけるトランジスタＱeのエミッタには抵抗Ｒsを介して画素駆動電位ＶBEが印加されており、そのベース及びコレクタにはトランジスタＱdのコレクタが接続されている。かかるトランジスタＱdのベースは上記トランジスタＱcのコレクタ及びベースに夫々接続されており、そのエミッタは上記抵抗ＲQ2を介してアース電位に接地されている。この際、第１陽極線ドライブ回路２１のトランジスタＱoと、上記トランジスタＱc、Ｑd、及びＱeの各々とは同一特性のトランジスタであり、更に、第１陽極線ドライブ回路２１における抵抗Ｒoと上記抵抗Ｒsとは同一抵抗値である。よって、上記第１陽極線ドライブ回路２１から供給された制御電流ｉcと同一の電流が上記トランジスタＱdのコレクタ・エミッタ間に流れる。
【００２３】又、第２陽極線ドライブ回路２２におけるトランジスタＱ1〜Ｑm各々のエミッタには、抵抗Ｒ1〜Ｒm各々を介して画素駆動電位ＶBEが印加されており、更に、夫々のベースには上記トランジスタＱeのベースが接続されている。この際、上記抵抗Ｒs、及びＲ1〜Ｒm各々の抵抗値は同一であり、更に、上記トランジスタＱ1〜Ｑm、Ｑd及びＱeの各々は、互いに同一特性を有するものである。よって、上記駆動電流制御回路ＣＣと、トランジスタＱ1〜Ｑmとは電流ミラー回路を構成することになり、トランジスタＱ1〜Ｑm各々のエミッタ・コレクタ間には、上記第１陽極線ドライブ回路２１から供給された制御電流ｉcと同一の電流量を有する発光駆動電流ｉが流れ、これが夫々出力される。すなわち、上記駆動電流制御回路ＣＣにより、第２陽極線ドライブ回路２２のトランジスタＱ1〜Ｑm各々から出力される発光駆動電流ｉは、第１陽極線ドライブ回路２１が出力した発光駆動電流と同一の電流量となるように調整されるのである。
【００２４】スイッチブロックＳＢには、上記トランジスタＱ1〜Ｑm各々から出力された発光駆動電流ｉを夫々、出力端Ｘ1〜Ｘmの各々に導出するｍ個のスイッチング素子Ｓ1〜Ｓmが設けられている。この際、第２陽極線ドライブ回路２２のスイッチブロックＳＢでは、上記発光制御回路１’から供給された第２駆動データＧＢ1〜ＧＢm各々の論理レベルに応じて、上記スイッチング素子Ｓ1〜Ｓm各々が独立してオン／オフ制御される。例えば、第２駆動データＧＢ1が論理レベル０のときには、スイッチング素子Ｓ1はオフ状態となる一方、かかる第２駆動データＧＢ1が論理レベル１のときには、オン状態となってトランジスタＱ1から供給された発光駆動電流ｉを出力端Ｘ1に導出する。又、第２駆動データＧＢmが論理レベル０のときには、スイッチング素子Ｓmはオフ状態となる一方、論理レベル１である場合にはオン状態となってトランジスタＱmから供給された発光駆動電流ｉを出力端Ｘmに導出する。このように、第２陽極線ドライブ回路２２のトランジスタＱ1〜Ｑm各々から出力された発光駆動電流ｉは、出力端Ｘ1〜Ｘmの各々を介して、図５に示されるように、ＥＬＤＰ１０’の陽極線Ａm+1〜Ａ2mの各々に供給される。」（５頁８欄１３行〜６頁９欄２４行）
　ニ．「【００３２】ここで、上記陽極線ドライブ回路２０１〜２０３の各々は互いに同一の内部構成を有するものであり、その内部構成を図１１に示す。図１１に示されるように、陽極線ドライブ回路２０１〜２０３の各々は、駆動電流制御回路ＣＣ、制御電流出力回路ＣＯ、スイッチブロックＳＢ、並びに、ｍ個の電流駆動源としてのトランジスタＱ1〜Ｑm及び抵抗Ｒ1〜Ｒmから構成される。
【００３３】尚、駆動電流制御回路ＣＣは、図７の第２陽極線ドライバ回路２２に搭載されているものと同一であり、上記制御電流出力回路ＣＯは、図７の第１陽極線ドライバ回路２１に搭載されているものと同一である。更に、上記スイッチブロックＳＢ、トランジスタＱ1〜Ｑm及び抵抗Ｒ1〜Ｒmからなる構成も、図７に示されるものと同一である。
【００３４】要するに、図１１に示されるが如き陽極線ドライブ回路は、その入力端Ｉinを介して供給された電流に応じた一定の電流を発光駆動電流ｉとして発生すると共に、この発生した発光駆動電流ｉと同一電流量の電流を制御電流ｉcとして出力端Ｉoutから出力するのである。従って、陽極線ドライブ回路２０１は、その入力端Ｉinを介して供給された上記基準電流ＩREFと同一電流量を有するｍ個の発光駆動電流ｉを発生し、これらを上記第１駆動データＧＡ1-mに応じてＥＬＤＰ１０''の陽極線Ａ1〜Ａmの各々に供給する。更に、陽極線ドライブ回路２０１は、この発光駆動電流ｉと同一電流量を有する制御電流ｉcを発生し、これを制御電流ｉc1として出力端Ｉoutを介して陽極線ドライブ回路２０２の入力端Ｉinに供給する。陽極線ドライブ回路２０２は、その入力端Ｉinから供給された上記制御電流ｉc1と同一電流量を有するｍ個の発光駆動電流ｉを発生し、これらを上記第２駆動データＧＢ1-mに応じてＥＬＤＰ１０''の陽極線Ａm+1〜Ａ2mの各々に供給する。更に、陽極線ドライブ回路２０２は、かかる発光駆動電流ｉと同一電流量を有する制御電流ｉcを発生し、これを制御電流ｉc2として出力端Ｉoutを介して、陽極線ドライブ回路２０３の入力端Ｉinに供給する。陽極線ドライブ回路２０３は、その入力端Ｉinから供給された上記制御電流ｉc2と同一電流量を有するｍ個の発光駆動電流ｉを発生し、これらを上記第３駆動データＧＣ1-mに応じてＥＬＤＰ１０''の陽極線Ａ2m+1〜Ａ3mの各々に供給するのである。」（７頁１１欄２１行〜１２欄１０行）
　
　上記引用例の記載及び図面ならびにこの分野における技術常識を考慮すると、
　上記イ．には、引用例に記載された発明が、有機エレクトロルミネセンス素子等の自発光素子からなるディスプレイ装置の駆動回路に関するものであることが記載されている。
　上記ロ．によれば、制御電流出力回路ＣＯは、トランジスタＱoのベースには基準電流制御回路ＲＣにおけるトランジスタＱbのベースが接続されており、
　トランジスタＱoのエミッタ・コレクタ間には、基準電流ＩREFと同一電流量の電流が流れ、この電流が、出力端Ｉoutを介して第２陽極線ドライブ回路２２の入力端Ｉinに供給されることが記載されている。
　上記ハ．及び図７によれば、
　第２陽極線ドライブ回路２２は、駆動電流制御回路ＣＣ、スイッチブロックＳＢ、ｍ個の電流駆動源としてのトランジスタＱ1〜Ｑmを有しており、
　トランジスタＱeのベース及びコレクタにはトランジスタＱdのコレクタが接続されているから、トランジスタＱeは、ダイオード接続されていると同時に、トランジスタＱdと直列に接続されており、
　トランジスタＱ1〜Ｑm各々のベースにはトランジスタＱeのベースが接続されており、
  スイッチブロックＳＢには、第２駆動データＧＢ1〜ＧＢm各々の論理レベルに応じて各々が独立してオン／オフ制御され、上記トランジスタＱ1〜Ｑm各々から出力された発光駆動電流ｉを夫々、出力端Ｘ1〜Ｘmの各々に導出するｍ個のスイッチング素子Ｓ1〜Ｓmが設けられており、また、該第２駆動データが入力されるべき制御端子を当然有しており、
　トランジスタＱcのコレクタ及びベースはトランジスタＱdのベース及び入力端Ｉinに接続されており、また、トランジスタＱcはコレクタとベースが接続されているから、ダイオード接続されている。
　上記ニ．及び図８、図１１によれば、
　陽極線ドライブ回路２０１〜２０３の各々は、駆動電流制御回路ＣＣ、制御電流出力回路ＣＯ、スイッチブロックＳＢ、ｍ個の電流駆動源としてのトランジスタＱ1〜Ｑmから構成されており、
　駆動電流制御回路ＣＣは、図７の第２陽極線ドライバ回路２２に搭載されているものと同一であり、制御電流出力回路ＣＯは、図７の第１陽極線ドライバ回路２１に搭載されているものと同一であり、スイッチブロックＳＢ、トランジスタＱ1〜Ｑm及び抵抗Ｒ1〜Ｒmからなる構成も、図７のものと同一である。そして、上記ロ．に記載の制御電流出力回路ＣＯの説明におけるトランジスタＱbは、図１１の陽極線ドライブ回路２０１〜２０３のＣＯにおいてはトランジスタＱeと読み替えなければならないことは自明である。
　また、陽極線ドライブ回路２０２は、入力端Ｉinを介して供給された電流に応じた一定の電流を発光駆動電流ｉとして発生すると共に、この発生した発光駆動電流ｉと同一電流量の電流を制御電流ｉcとして出力端Ｉoutから出力し、これを制御電流ｉc2として出力端Ｉoutを介して、陽極線ドライブ回路２０３の入力端Ｉinに供給する。
　
　したがって、上記引用例には以下の発明（以下、「引用発明」という。）が開示されている。
　
　「複数の陽極線ドライブ回路を備えたディスプレイ装置の駆動回路において、
　前記複数の陽極線ドライブ回路の各々は、
　ベース端子を備えた、ダイオード接続されたトランジスタＱeと、
　前記トランジスタＱeのベース端子の電圧レベルを基準値とした電流を出力する複数のトランジスタＱ1〜Ｑmと、
　各々が制御端子を備え、前記制御端子に入力される第２駆動データに応じてオン・オフ制御され、前記複数のトランジスタＱ1〜Ｑmの各々から出力される電流を制御するスイッチング素子Ｓ1〜Ｓmと、
　ベース端子を備え、トランジスタＱeのベース端子の電圧レベルを基準値とした電流を出力するトランジスタＱoと、
　ベース端子を備え、トランジスタＱeと直列に接続されたトランジスタＱdと、
　ベース端子を備え、前記ベース端子がトランジスタＱdのベース端子と接続された、ダイオード接続されたトランジスタＱcと、を含み、
　前記複数の陽極線ドライブ回路の各々は、前記制御端子に入力される第２駆動データに基づいて前記複数のトランジスタＱ1〜Ｑmの各々から出力される電流を出力し、１の陽極線ドライブ回路に含まれるトランジスタＱoは、他の陽極線ドライブ回路に含まれる前記トランジスタＱcに接続されていることを特徴とするディスプレイ装置の駆動回路。」
　
３．対比・判断
　本願発明と引用発明とを対比すると、
　引用発明の「ディスプレイ装置の駆動回路」は電子装置の一種である。
　引用発明の「陽極線ドライブ回路」は、引用例の図８の記載から明らかなように、同一構成の陽極線ドライブ回路が複数個並べて接続されることで１つの電子装置を構成しているから、それぞれの陽極線ドライブ回路は「単位回路」であるということができる。
　引用発明の「トランジスタＱe」「トランジスタＱ1〜Ｑm」「トランジスタＱo」「トランジスタＱd」「トランジスタＱc」は、その機能及び相互の接続関係からみて、それぞれ本願発明の「第１のトランジスタ」「第２のトランジスタ」「第４のトランジスタ」「第５のトランジスタ」「第６のトランジスタ」に相当し、各々のベース端子は「第１の制御用端子」「第２の制御用端子」「第４の制御用端子」「第５の制御用端子」「第６の制御用端子」に相当する。
　引用発明の「スイッチング素子Ｓ1〜Ｓm」と本願発明の「第３のトランジスタ」とを比較すると、トランジスタはスイッチング素子の一種であるから、両者は「スイッチング素子」である点で一致しており、引用発明の「制御端子」は、本願発明の「第３の制御用端子」に相当する。そして、引用発明の第３の制御用端子に入力される「第２駆動データ」は、スイッチング素子をオン・オフ制御させるための信号であるから、オン・オフ信号である。
　
　したがって、本願発明と引用発明は、以下の点で一致ないし相違している。
　
（一致点）
　「複数の単位回路を備えた電子装置において、
　前記複数の単位回路の各々は、
　第１の制御用端子を備えた、ダイオード接続された第１のトランジスタと、
　前記第１の制御用端子の電圧レベルを基準値とした電流を出力する複数の第２のトランジスタと、
　各々が第３の制御用端子を備え、前記第３の制御用端子に入力されるオン・オフ信号に応じて前記複数の第２のトランジスタの各々から出力される電流を制御するスイッチング素子と、
　第４の制御用端子を備え、第１の制御用端子の電圧レベルを基準値とした電流を出力する第４のトランジスタと、
　第５の制御用端子を備え、第１のトランジスタと直列に接続された第５のトランジスタと、
　第６の制御用端子を備え、前記第５の制御用端子が第６の制御用端子に接続された、ダイオード接続された第６のトランジスタと、を含み、
　前記複数の単位回路の各々は、前記第３の制御用端子に入力されるオン・オフ信号に基づいて前記複数の第２のトランジスタの各々から出力される電流を出力し、１の単位回路に含まれる第４のトランジスタは、他の単位回路に含まれる前記第６のトランジスタに接続されていることを特徴とする電子装置。」
　
（相違点１）
　「スイッチング素子」について、本願発明では「トランジスタ」であるのに対し、引用発明では特定されていない点。
　
（相違点２）
　単位回路から出力される電流について、本願発明では「前記複数の第２のトランジスタの各々から出力される電流を選択して加算した電流を一つの出力端子から出力」しているのに対し、引用発明では「前記複数の第２のトランジスタの各々から出力される電流を出力」しているものの、「各々から出力される電流を選択して加算した電流を一つの出力端子から出力」する構成を有していない点。
　
　そこで、まず、上記相違点１について検討するに、電子回路を構成する際に、オン・オフ動作を行うためのスイッチング素子としてトランジスタを用いることは、例を挙げるまでもなく当業者の常套手段であるから、引用発明においても、スイッチング素子としてトランジスタを用いるようにすることは、当業者が適宜なし得ることである。
　
　次いで、上記相違点２について検討するに、ディスプレイ装置等で用いられる駆動回路において、単位回路から出力される電流について、複数のトランジスタの各々から出力される電流を選択して加算した電流を一つの出力端子から出力するようにすることは、拒絶査定で周知例として引用された特開２０００−１２２６０８号公報（特に図５）、及び、例えば特開平６−３４０１１４号公報（特に図２）等にも記載されているように、周知技術であるところ、当該周知技術を引用発明に適用する上での阻害要因は何ら見あたらないから、引用発明の単位回路から出力される電流を「前記複数の第２のトランジスタの各々から出力される電流を選択して加算した電流を一つの出力端子から出力」するようにすることは当業者であれば適宜なし得ることである。
　
　そして、本願発明の作用効果も、引用発明及び周知技術から当業者が容易に予測できる範囲のものである。
　
４．むすび
　以上のとおり、本願発明は、引用発明及び周知技術に基づいて当業者が容易に発明をすることができたものと認められるから、特許法第２９条第２項の規定により特許を受けることができない。
　
　よって、結論のとおり審決する。